【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
固定子と回転子からなるモータにおいて、
前記固定子は、
磁性体からなる有底円筒状のハウジングと、
前記ハウジングの内側面に固定され、周方向に異なる磁極を有し、外周が円状または円弧状である少なくともひとつのマグネットと、
を有し、
前記回転子は、
上下に延びる中心軸を中心として回転可能に支持されるシャフトと、
前記マグネットと径方向に隙間を介して対向し、前記シャフトに固定される電機子と、
を有し、
前記マグネットは、前記ハウジングの底面と接触する接触部を少なくとも２つ有し、かつ、２つの前記接触部の周方向における間において、前記底面と非接触となる非接触部を有し、
前記非接触部は、前記マグネットの前記磁極の境界部の軸方向下端部を含むモータ。
【請求項２】
回転子と固定子からなるモータにおいて、
前記回転子は、
上下に延びる中心軸を中心として回転可能に支持されるシャフトと、
磁性体からなる有底円筒状のハウジングと、
前記ハウジングの内側面に固定され、周方向に異なる磁極を有し、外周が円状または円弧状である少なくともひとつのマグネットと、
を有し、
前記固定子は、前記マグネットと径方向に隙間を介して対向する電機子を有し、
前記マグネットは、前記ハウジングの底面と接触する接触部を少なくとも２つ有し、かつ、２つの前記接触部の周方向における間において、前記底面と非接触となる非接触部を有し、
前記非接触部は、前記マグネットの前記磁極の境界部の軸方向下端部を含むモータ。
【請求項３】
前記ハウジングは、前記非接触部と対向する部分において、軸方向下側に向かって窪む第１凹部を有する、請求項１または２に記載のモータ。
【請求項４】
前記第１凹部は、前記磁極の境界部における径方向内周部よりも径方向内側へ延びている請求項１乃至３に記載のモータ。
【請求項５】
前記第１凹部の深さは、前記電機子と前記マグネットとの間の径方向における隙間の大きさよりも大きい、請求項４に記載のモータ。
【請求項６】
前記第１凹部の数と、マグネットの極数が等しい、請求項１乃至５に記載のモータ。
【請求項７】
前記マグネットは、周方向に異なる磁極を有する複数の分割マグネットからなり、
複数の分割マグネットは、各分割マグネットの間に間隙部をもって周方向に配置される、請求項１乃至６に記載のモータ。
【請求項８】
前記ハウジングは、前記間隙部の軸方向下側において、軸方向下側に向かって窪む第２凹部を有する、請求項７に記載のモータ。
【請求項９】
前記分割マグネットと同じ径方向位置における、前記第２凹部の周方向の幅は、前記間隙の周方向幅よりも大きい、請求項８に記載のモータ。
【請求項１０】
前記第２凹部は、前記間隙を介して隣り合う２つの前記分割マグネットの径方向内周部よりも径方向内側まで延びている、請求項８または９に記載のモータ。
【請求項１１】
前記第２凹部の深さは、前記電機子と前記マグネットとの間の径方向における隙間の大きさよりも大きい、請求項１０に記載のモータ。
【請求項１２】
前記第１凹部と前記第２凹部と前記分割マグネットとの数が等しい、請求項８乃至１１に記載のモータ。
【請求項１３】
固定子と回転子からなるモータにおいて、
前記固定子は、
磁性体からなる有底円筒状のハウジングと、
前記ハウジングの内側面に固定され、周方向に異なる磁極を有し、外周が円状または円弧状である少なくともひとつのマグネットと、
を有し、
前記回転子は、
上下に延びる中心軸を中心として回転可能に支持されるシャフトと、
前記マグネットと径方向に隙間を介して対向する電機子と、
を有し、
前記マグネットは、前記ハウジングの底面と接触し、
前記ハウジングは、前記磁極の境界部の下端部よりも径方向内側に配置される、軸方向に窪む第３凹部を有するモータ。
【請求項１４】
回転子と固定子からなるモータにおいて、
前記回転子は、
上下に延びる中心軸を中心として回転可能に支持されるシャフトと、
磁性体からなる有底円筒状のハウジングと、
前記ハウジングの内側面に固定され、周方向に異なる磁極を有し、外周が円状または円弧状である少なくともひとつのマグネットと、
を有し、
前記固定子は、前記マグネットと径方向に隙間を介して対向した電機子を有し、
前記マグネットは、前記ハウジングの底面と接触し、
前記ハウジングは、前記磁極の境界部の下端部よりも径方向内側に配置される、軸方向に窪む第３凹部を有するモータ。
【請求項１５】
前記マグネットは、周方向に異なる磁極を有する複数の分割マグネットから構成されていることを特徴とする、請求項１３または１４に記載のモータ。
【請求項１６】
前記分割マグネットは、各分割マグネットの間に間隙部をもって周方向に配置され、
前記ハウジングは、少なくともひとつの前記間隙部の径方向内側に軸方向に窪む第４凹部を有する請求項１５に記載のモータ。
【請求項１７】
前記第３凹部の数と、マグネットの極数が等しい、請求項１３または１４に記載のモータ。
【請求項１８】
前記第４凹部は、前記ハウジングの前記間隙部の軸方向下側まで延びている、請求項１６に記載のモータ。
【請求項１９】
前記分割マグネットと同じ径方向位置における、前記第４凹部の周方向の幅は、前記間隙の周方向幅よりも大きい、請求項１８に記載のモータ。
【請求項２０】
前記第３凹部の深さは、前記電機子と前記マグネットとの間の径方向における隙間の大きさよりも大きい、請求項１３乃至１９に記載のモータ。
【請求項２１】
前記第４凹部の深さは、前記電機子と前記マグネットとの間の径方向における隙間の大きさよりも大きい、請求項１５乃至２０に記載のモータ。
【請求項２２】
前記第３凹部と前記第４凹部と前記分割マグネットの数とが等しい、請求項１６に記載のモータ。
【請求項２３】
固定子と回転子からなるモータにおいて、
前記固定子は、
磁性体からなる有底円筒状のハウジングと、
前記ハウジングの内側面に固定され、周方向に異なる磁極を有し、それぞれが間隙部をもって周方向配置される、外周が円弧状である複数の分割マグネットと、
を有し、
前記回転子は、
上下に延びる中心軸を中心として回転可能に支持されるシャフトと、
前記分割マグネットと径方向に隙間を介して対向する電機子と、
を有し、
前記分割マグネットは、前記ハウジングの底面と接触し、
前記ハウジングは、前記間隙部の軸方向下側において、軸方向下側に向かって窪む第２凹部を有するモータ。
【請求項２４】
回転子と固定子からなるモータにおいて、
前記回転子は、
前記固定子に回転可能に支持されたシャフトと、
磁性体からなる有底円筒状のハウジングと、
前記ハウジングの内側面に固定され、周方向に異なる磁極を有し、それぞれが間隙部をもって周方向配置される、外周が円弧状である複数の分割マグネットと、
を有し、
前記固定子は、前記マグネットと径方向に隙間を介して対向した電機子を有し、
前記分割マグネットは、前記ハウジングの底面と接触し、
前記ハウジングは、前記間隙部の軸方向下側において、軸方向下側に向かって窪む第２凹部を有するモータ。
【請求項２５】
前記第２凹部は、前記間隙部を介して隣り合う２つの分割マグネットとの間の径方向内周部よりも径方向内側まで延びている、請求項２３または２４記載のモータ。
【請求項２６】
前記第２凹部の深さは、前記電機子と前記マグネットとの間の径方向における隙間の大きさよりも大きい、請求項２３乃至２５に記載のモータ。
【請求項２７】
前記凹部の数と、前記分割マグネットの数が等しいことを特徴とする、請求項２３乃至２６に記載のモータ。
【請求項２８】
前記ハウジングの底面は、前記接触部に接触する底面から径方向内側かつ軸方向下側に向かって次第に傾斜する請求項１または２に記載のモータ。
【手続補正２】
【補正対象書類名】明細書
【補正対象項目名】０００９
【補正方法】変更
【補正の内容】
【０００９】
次に、本願の第三の例示的な発明は、固定子と回転子からなるモータにおいて、前記固定子は、磁性体からなる有底円筒状のハウジングと、前記ハウジングの内側面に固定され、周方向に異なる磁極を有し、それぞれが間隙部をもって周方向配置される、外周が円弧状である複数の分割マグネットと、を有し、前記回転子は、上下に延びる中心軸を中心として回転可能に支持されるシャフトと、前記分割マグネットと径方向に隙間を介して対向する電機子と、を有し、前記分割マグネットは、前記ハウジングの底面と接触し、前記ハウジングは、前記間隙部の軸方向下側において、軸方向下側に向かって窪む第２凹部を有することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
【図１】本発明の実施形態１のモータの断面図である。
【図２】本発明の実施形態１の固定子の斜視図である。
【図３】実施形態１の固定子における磁束の流れを示した図である。
【図４】実施形態１の固定子における磁束の流れを示した図である。
【図５】実施形態１の固定子における磁束の流れを示した図である。
【図６】実施形態１のモータの拡大図である。
【図７】実施形態１の固定子の平面図である。
【図８】本発明の実施形態２のモータの断面図である。
【図９】本発明の実施形態２の固定子の斜視図である。
【図１０】実施形態２の固定子における磁束の流れを示した図である。
【図１１】本発明の実施形態３のモータの断面図である。
【図１２】本発明の実施形態３の固定子の斜視図である。
【図１３】実施形態３の固定子における磁束の流れを示した図である。
【図１４】実施形態３の固定子における磁束の流れを示した図である。
【図１５】本発明の実施形態を説明するためのモータの参考図である。
【図１６】本発明の実施形態を説明するための固定子の参考図である。
【手続補正６】
【補正対象書類名】明細書
【補正対象項目名】００４９
【補正方法】変更
【補正の内容】
【００４９】
図１５は、本発明の実施形態を説明するためにモータの参考図を示す。図１５において、軸方向におけるハウジング２の底面２２と分割マグネット３５１、３５２、３５３との間に非磁性体８が設けられている。分割マグネット３５と非磁性体８が接しており、ハウジング２の底面２２と分割マグネット３５１、３５２、３５３の軸方向下端部３５１ｂ、３５２ｂ、３５３ｂは非接触となっている。
【手続補正７】
【補正対象書類名】明細書
【補正対象項目名】００５０
【補正方法】変更
【補正の内容】
【００５０】
図１６は、図１５のモータにおける固定子に相当し、ハウジング２と分割マグネット３５１、３５２、３５３および非磁性体８のみを示した斜視図である。非磁性体８を介して、ハウジング２に分割マグネット３５１、３５２、３５３を取り付けることにより、各境界部における軸方向下端部３５１ｂ、３５２ｂ、３５３ｂの漏れ磁束および径方向内周部３５１ｃ、３５２ｃ、３５３ｃの漏れ磁束を低減することが出来る。